(57)【特許請求の範囲】
【請求項１】
対向する位置に出入り用の開口を有する円筒状の側壁に沿って敷設された環状レールに支持されながら、環状レールに沿って回転する回転フレームに支持され、各側壁の内側に位置する円弧パネルと、対向する円弧パネル間に位置する可動扉を有し、対向する円弧パネル間に２枚の可動扉と１枚の壁パネルが互いに平行に配列し、２枚の可動扉が移動時に壁パネル、もしくは円弧パネルに重なり、壁パネルと円弧パネル間を開放させる回転ドアにおいて、前記壁パネルは前記対向する円弧パネル間の中央部に位置し、前記可動扉は壁パネルの幅方向両側に位置し、可動扉の幅と壁パネルの幅は実質的に等しい２枚扉回転ドア。
【請求項２】
可動扉は面内でスライド自在であり、移動時に壁パネルに重なる請求項１記載の２枚扉回転ドア。
【請求項３】
可動扉は円弧パネル寄りの回転軸回りに揺動自在であり、移動時に円弧パネルに重なる請求項１記載の２枚扉回転ドア。
【発明の詳細な説明】
【０００１】
【発明の属する技術分野】
この発明は非常時や荷物の搬出入時、車椅子使用者の通行時等に円弧パネル間の空間を開放させる２枚扉回転ドアに関するものである。
【０００２】
【従来の技術及び発明が解決しようとする課題】
対向する位置に出入り用の開口を有する円筒状の側壁に沿って環状に敷設されたレールに沿って回転する回転フレームに支持され、各側壁の内側に位置する円弧パネルと、対向する円弧パネル間に位置する可動扉を有する回転ドアは特開平10−292739号のように円弧パネル寄りに、円弧パネルと共に閉じた展示用の空間を構成する壁パネルが配置され、両壁パネル間に可動扉が配置される。
【０００３】
非常時や車椅子の通行時等には可動扉がスライドにより開放して両側の壁パネル間が通行可能な通路となるが、円弧パネル間に配列する各２枚の壁パネルと可動扉は側壁の直径を４分割した大きさの幅を持つことから、可動扉の全開時には最大で側壁の直径の半分程度の距離しか通路幅として確保することができない。
【０００４】
この発明は平常時に円弧パネルと共に回転する壁パネルと可動扉を有する回転ドアにおいて、非常時等の必要時に従来の回転ドアより大きい通路幅を確保できる２枚扉回転ドアを提案するものである。
【０００５】
【課題を解決するための手段】
本発明では対向する円弧パネル間に２枚の可動扉と１枚の壁パネルを配置することにより、可動扉の全開時に側壁の直径の２／３程度の距離を通路幅として確保する。
【０００６】
円弧パネル間に２枚の可動扉と１枚の壁パネルが配置されることで、可動扉の全開時には可動扉の幅の２倍の距離が通路幅として確保される。特に可動扉の幅と壁パネルの幅を実質的に等しくすることで、対向する円弧パネル間距離が３分割された場合の可動扉全開時の通路幅が最も大きく、通路幅は側壁の直径の２／３の大きさになり、２枚の可動扉を配置し、可動扉全開時の通路幅が側壁の直径の半分程度である従来の回転ドアより30％強、通路幅が拡大される。
【０００７】
側壁には環状の環状レールが敷設され、環状レールに沿って回転自在に回転フレームが支持される。各側壁寄りには回転フレームに固定状態で支持される円弧フレームが配置され、対向する円弧パネル間に２枚の可動扉と１枚の壁パネルが互いに平行に配列する。壁パネルは回転フレームに固定状態で支持される。
【０００８】
２枚の可動扉は請求項２に記載のように面内でスライド自在、もしくは請求項３に記載のように円弧パネル寄りの回転軸回りに揺動自在に回転フレームに支持され、スライド自在な場合は移動時に壁パネルに重なり、揺動自在な場合は移動時に円弧パネルに重なる。
【０００９】
可動扉がスライド自在に支持される場合と揺動自在に支持される場合のいずれも、壁パネルは対向する円弧パネル間の中央部に配置される。壁パネルが中央部に配置されることで、壁パネルの幅方向両側に分離した通路が確保される。
【００１０】
【発明の実施の形態】
この発明は図１−(a) ，(b) に示すように対向する位置に出入り用の開口1a，1aを有する円筒状の側壁１，１の内側に位置し、対向する円弧パネル２，２間に２枚の可動扉３，３と１枚の壁パネル４を互いに平行に配列させ、２枚の可動扉３，３が必要時に壁パネル４、もしくは円弧パネル２に重なる回転ドアである。
【００１１】
図１−(a) は可動扉３を面内でスライド自在にし、移動時に壁パネル４に重ねる場合、(b) は可動扉３を円弧パネル２寄りの回転軸回りに揺動自在にし、移動時に円弧パネル２に重ねる場合を示す。
【００１２】
円弧パネル２，２と可動扉３，３及び壁パネル４は図２に示すように側壁１，１に沿って環状に敷設された環状レール５に回転自在に支持された回転フレーム６に支持され、平常時は回転フレーム６と共に、床面７と天井面８に配置された回転軸９の回りに回転する。
【００１３】
環状レール５は周方向の複数箇所においてブラケット5a等を介して側壁１，１に固定された状態で支持され、回転フレーム６は平面上、環状レール５と交わる位置の複数箇所に接続されるローラ6aにおいて環状フレーム５に、環状フレーム５上を回転自在に支持される。
【００１４】
回転フレーム６は環状レール５と交わる位置を通る多角形状、もしくは円形状の外周フレーム61と、外周フレーム61の中心付近を通って外周フレーム61を横切る中間フレーム62から組み立てられる。
【００１５】
回転フレーム６は図１−(a) の拡大図である図３のｘ−ｘ線の断面を示す図４に示すようにそのいずれかの部分に格納される回転エンジン10によっていずれかのローラ6aが駆動させられ、全ローラ6aが環状レール５に沿って走行することにより回転軸９の回りに回転する。
【００１６】
図２−(a) は可動扉３がスライド自在で、壁パネル４が円弧パネル２，２間の中央部に位置する図１−(a) の場合の回転フレーム６と、可動扉３及び壁パネル４の配置状態を、図２−(b) は図１−(b) の場合の配置状態を示す。
【００１７】
図１−(a) の場合、壁パネル４は回転フレーム６の中間フレーム62に固定状態で支持され、可動扉３は外周フレーム61と中間フレーム62に固定状態で支持されたレール11に沿って走行自在に支持される。図１−(b) の場合には可動扉３は外周フレーム61の回転軸6bに揺動自在に支持される。
【００１８】
スライド自在な可動扉３は図４に示すように上端の複数箇所に固定されるブラケット3bに接続されたローラ3aがレール11に沿って走行することによりスライドする。可動扉３のスライドは手動により、もしくはレール11等に格納されるエンジンによって自動で行われる。
【００１９】
自動の場合はレール11の両側に駆動プーリと従動プーリが配置され、駆動プーリと従動プーリ間に掛け渡されるベルトに可動扉３が支持される。可動扉３はレール11等に格納されるエンジン（モータ）によって駆動プーリが駆動させられ、ベルトが循環することによりローラ3aがレール11上を走行して開閉する。
【００２０】
図１−(a) の場合、可動扉３，３の全開時には二点鎖線で示すように可動扉３，３が壁パネル４に重なることで壁パネル４と円弧パネル２間が開放し、図１−(b) の場合は可動扉３，３が回転フレーム６の回転軸6b回りに回転して円弧パネル２，２に重なることで壁パネル４と円弧パネル２間が開放する。いずれの場合も壁パネル４が円弧パネル２，２間の中央部に位置するため、壁パネル４の幅方向両側に通路が形成される。
【００２１】
図３，図４ではガラス等を収納した２枚のパネル材41，41を厚さ方向に間隔を隔てて配置して壁パネル４を構成することにより壁パネル４を展示用の空間として利用している。回転フレーム６の下には天井パネル12が支持され、レール11が塞がれる。
【００２２】
図５は図１−(a) に示す壁パネル４を、可動扉３，３を格納するための戸袋として形成した場合を示す。
【００２３】
図６−(a) は建物内から外部へ向かう人と外部から建物内へ向かう人の数が多い場合に、一方の可動扉３の屋内側と他方の可動扉３の屋外側のそれぞれにマットスイッチその他のスイッチ13やセンサを設置することで、(b) に示すように双方の人が同一の可動扉３の位置で衝突することなく、双方向の人の流れが円滑に生ずるようにした場合を示す。
【００２４】
【発明の効果】
対向する円弧パネル間に２枚の可動扉と１枚の壁パネルを配置するため、可動扉の全開時に側壁の直径の２／３程度の距離を通路幅として確保することができ、従来の２枚の可動扉を配置した回転ドアより通路幅を拡大することができる。
【００２５】
特に可動扉の幅と壁パネルの幅を実質的に等しくするため、通路幅が最大限確保される。
【図面の簡単な説明】
【図１】(a) は可動扉を面内でスライド自在にした場合を示した平面図、(b) は可動扉を揺動自在にした場合を示した平面図である。
【図２】(a) は図１−(a) の場合の、(b) は図１−(b) の場合の側壁と環状レール、及び回転レールの関係を示した平面図である。
【図３】図１の拡大図である。
【図４】図３のｘ−ｘ線断面図である。
【図５】壁パネルを戸袋として形成した場合を示した平面図である。
【図６】(a) は可動扉の手前にスイッチ等を設置した様子を示した平面図、(b) はそのときの人の流れを示した平面図である。
【符号の説明】
１……側壁、1a……開口、２……円弧パネル、３……可動扉、3a……ローラ、3b……ブラケット、４……壁パネル、41……パネル材、５……環状レール、5a……ブラケット、６……回転フレーム、61……外周フレーム、62……中間フレーム、6a……ローラ、6b……回転軸、７……床面、８……天井面、９……回転軸、10……回転エンジン、11……レール、12……天井パネル，13……スイッチ。
【図１】
0003594539.tif 000002
【図２】
0003594539.tif 000003
【図３】
0003594539.tif 000004
【図４】
0003594539.tif 000005
【図５】
0003594539.tif 000006
【図６】
0003594539.tif 000007